(57)【要約】      （修正有）【課題】建築物の屋根における防水下地の防水構造として断熱工法を採用する際に、固定用ビスが充分に固定される防水シート固定構造を提供する。【解決手段】断熱材２を貫通する補強材４を下地１の上に設け、補強材の上に配置された固定用ディスク５の上から補強材に対して固定用ビス６を打つことで、固定用ディスクを補強材に固定し、この固定用ディスクにより固定される防水シート３を備える。そして、補強材は天板部と支持脚部を有し、さらに支持脚部には外側に張り出すように張出部が連結されている。【選択図】図１
2014001531.tif 000002
【特許請求の範囲】
【請求項１】
防水下地の上に敷設される断熱材と、
前記防水下地の上に配置される補強材と、
前記補強材の上に配置される固定用ディスクと、
前記固定用ディスクの上から前記補強材を貫通して前記防水下地に打ち込まれる固定用ビスと、
前記固定用ディスクにより前記断熱材の上に固定される防水シートとを備え、
前記補強材は天板部と前記天板部に連結された        支持脚部とこれに連結されるとともに前記天板部よりも外側に張り出して形成される張出部とを有する防水シート固定構造。
【請求項２】
前記固定用ビスは前記補強材の前記天板部で水平方向の可動を規制されている請求項１に記載の防水シート固定構造。
【請求項３】
前記固定用ビスが前記補強材の前記天板部で固定されている請求項１または請求項２のいずれか１項に記載の防水シート固定構造。
【請求項４】
前記防水シートが前記断熱材の上に敷設され、前記防水シートの上に前記固定用ディスクが配置され、前記固定用ビスが前記固定用ディスクの上から前記天板部に打ち込まれる請求項１から請求項３のいずれか１項に記載の防水シート固定構造。
【請求項５】
前記防水シートが前記固定用ディスクの上に敷設され、前記防水シートの下面と前記固定用ディスクの上面が接合されている請求項１から請求項３のいずれか１項に記載の防水シート固定構造。
【請求項６】
防水下地の上に天板部と前記天板部に連結された支持脚部とこれに連結されるとともに前記天板部よりも外側に張り出して形成される張出部とを有する補強材を配置し、
前記防水下地の上に前記補強部材の周囲を囲むように断熱材を敷設し、
前記断熱材と前記補強材を覆うように防水シートを敷設し、
前記防水シートの上から前記補強材と対応する位置に固定用ディスクを配置し、
固定用ビスを前記固定用ディスクの上から前記補強材の前記天板部を貫通し前記防水下地に向けて打ち込む防水シートの固定工法。
【請求項７】
防水下地の上に天板部と前記天板部に連結された支持脚部とこれに連結されるとともに前記天板部よりも外側に張り出して形成される張出部とを有する補強材を配置し、
前記防水下地の上に前記補強部材の周囲を囲むように断熱材を敷設し、
上面に接着層を有する固定用ディスクを前記補強材の上に配置し、
前記固定用ディスクの上から固定用ビスを前記補強材の前記天板部から前記防水下地に向けて打ち込み、
前記断熱材と前記固定用ディスクを覆うように防水シートを敷設し、
前記接着層を介して前記防水シートと前記固定用ディスクを接合する防水シートの固定工法。
【発明の詳細な説明】
【技術分野】
【０００１】
本発明は断熱工法における防水シートの固定構造に関する。
【背景技術】
【０００２】
建築物の屋上、ベランダ、バルコニーの防水構造には、近年、下地の上に断熱材を敷設する断熱工法が多く採用されている。断熱工法において、断熱材の上に防水シートを固定する工法として、いわゆる機械的固定工法が用いられている。この工法は、断熱材の上から固定用ディスクを固定用ビスで下地に固定し、固定用ディスクによって防水シートを断熱材の上に固定する方法であり、接着剤を塗布する必要がある接着工法と比較して簡便であるという利点を有する。そして、固定用ディスクで防水シートを固定する方法としては、防水シートを先に断熱材の上に敷設し、その上に固定用ディスクを載せ固定用ビスを打ち込む方法や、断熱材の上に接着層を有する固定用ディスクを固定し、その上に防水シートを敷設し防水シートの上から電磁誘導加熱装置で接着層を溶融させ防水シートの裏面と固定用ディスクを接合する方法などが用いられている。
【０００３】
しかし、機械固定工法で防水施工された屋上等において防水シートが強風にさらされると、防水シートに上向き（垂直方向）の応力が作用する。そのために防水シートを固定する固定用ディスクは垂直方向の引き抜きに対抗できるように強固に固定されることが要求される。さらに風は通常、一定ではなく強弱をともなって吹くために、防水シートに対する応力も強弱を伴う振動として作用し、固定用ビスがこの振動により緩むことが懸念されている。
これに対して緩み止めを施した固定用ビスおよび固定用ディスクを組み合わせた工法が提案されている（特許文献１）。
【先行技術文献】
【特許文献】
【０００４】
【特許文献１】特開２００８−００２１２３号公報
【発明の概要】
【発明が解決しようとする課題】
【０００５】
しかしながら、強風にさらされた場合に、断熱材の上に敷設される防水シートには垂直方向の応力だけでなく、水平方向にも応力が作用する場合がある。そうすると、防水シートを固定している固定用ディスクや固定用ビスにも水平方向の応力が働くこととなる。そして、固定用ビスと防水下地との固定部では、断熱材の厚みだけ距離があるためにより大きな力がかかることとなる。したがって、下地の上に断熱材を敷設する断熱工法においては、固定用ビスには水平方向に大きな応力が作用し固定用ビスが引き抜かれたり、固定用ビスが破断したりするおそれがある。
【０００６】
そこで、本発明は上記のような課題に鑑み、断熱工法において、防水シートに水平方向の応力が作用しても、固定用ビスが充分に固定される防水シート固定構造を提供することを目的とする。
【課題を解決するための手段】
【０００７】
本発明の上記課題を解決するためにとった手段は以下の通りである。
すなわち、補強材を防水下地の上に設け、補強材の上に配置された固定用ディスクの上から補強材を貫通して防水下地に対して固定用ビスを打つことで、固定用ディスクを補強材を介して防水下地に固定することを要旨とする。
そして、防水シートはこの固定用ディスクにより固定され、補強材は天板部と支持脚部を有し、さらに支持脚部には外側に張り出すように張出部が連結されている。
【０００８】
さらに具体的には、防水下地の上に敷設される断熱材と、防水下地の上に配置される補強材と、補強材の上に配置される固定用ディスクと、固定用ディスクの上から補強材を貫通して防水下地に打ち込まれる固定用ビスと、固定用ディスクにより断熱材の上に固定される防水シートとを備え、補強材は天板部と天板部に連結された支持脚部とこれに連結されるとともに天板部よりも外側に張り出して形成される張出部とを有する防水シート固定構造とするものである。
このように、補強材を用いることで、固定用ビスが補強材の天板部を貫通するために固定用ディスクに対して水平方向の応力が作用しても固定用ビスは補強材によって引き抜かれたり、固定用ビスが破断したりするのを防止でき、固定用ディスクは水平方向の応力に対して強固に固定されることとなる。さらに補強部の支持脚部には張出部が設けられているために、固定用ビスに作用する水平方向の応力によって補強材が回転するように動くことを防止することができ、固定用ビスおよび固定用ディスクをより安定的に保持することができる。
【０００９】
また、固定用ビスは補強材の天板部で水平方向の可動を規制できるように天板部を貫通している防水シート固定構造がより好ましい。これにより固定用ビスは防水下地面に対する水平方向すなわち横方向の力を受けても、固定用ビスの水平方向の可動が規制されるために、防水下地と固定用ビスの貫通部に大きな応力が作用することを防ぎ、固定用ビスの引き抜き強度が向上し、固定用ビスの破断を防止できる。
【００１０】
さらに固定用ビスが補強材の天板部で固定されている防水シート固定構造とすることができる。固定用ビスが補強材の天板部と防水下地とで固定されることで、引き抜き強度が向上する。また、補強材の天板部と防水下地で固定用ビスが固定されているので、固定用ビスが水平方向に可動するのを規制でき、より水平方向への応力に対して対抗できる。
【００１１】
ここで、防水シートは固定用ディスクの上側、下側のどちらに設けてもよい。防水シートが固定用ディスクの下側に設けられる場合には、防水シートが断熱材の上に敷設され、防水シートの上に固定用ディスクが配置され、固定用ビスが固定用ディスクの上から天板部に打ち込まれる防水シート固定構造となる。
【００１２】
一方、防水シートが固定ディスクの上側に設けられる場合には、防水シートが固定用ディスクの上に敷設され、防水シートの下面と固定用ディスクの上面が接合されている防水シート固定構造となる。
【００１３】
そして、防水シートが固定用ディスクの下側に設けられる場合には、防水下地の上に天板部と天板部に連結された支持脚部とこれに連結されるとともに天板部よりも外側に張り出して形成される張出部とを有する補強材を配置し、前記防水下地の上に前記補強部材の周囲を囲むように断熱材を敷設し、断熱材と補強材を覆うように防水シートを敷設し、防水シートの上から補強材と対応する位置に固定用ディスクを配置し、固定用ビスを固定用ディスクの上から補強材の天板部を貫通し防水下地に向けて打ち込む防水シートの固定工法を用いることができる。
【００１４】
また、防水シートが固定ディスクの上側に設けられる場合の工法としては、防水下地の上に天板部と天板部に連結された支持脚部とこれに連結されるとともに天板部よりも外側に張り出して形成される張出部とを有する補強材を配置し、防水下地の上に補強部材の周囲を囲むように断熱材を敷設し、上面に接着層を有する固定用ディスクを補強材の上に配置し、固定用ディスクの上から固定用ビスを補強材の天板部から防水下地に向けて打ち込み、断熱材と固定用ディスクを覆うように防水シートを敷設し、接着層を介して防水シートと固定用ディスクを接合する防水シートの固定工法を用いることができる。
【発明の効果】
【００１５】
本発明の防水シート固定構造によれば、下地の上に配置された、天板部と支持脚部と、これに連結された張出部を有する補強材によって、防水シートに水平方向の応力が作用しても、固定用ビスが破断することなく充分に固定されることで固定用ディスクが強固に固定される。
【図面の簡単な説明】
【００１６】
【図１】固定用ディスクの下に防水シートを敷設する本発明の第１実施形態に係る防水シート固定構造を示す断面図である。
【図２】第１実施形態に係る補強材の斜視図である。
【図３】補強材４の変形例を示す斜視図である。
【図４】補強材４の変形例を示す斜視図である。
【図５】補強材４の変形例を示す斜視図である。
【図６】補強材４の変形例を示す斜視図である。
【図７】断熱材の敷設方法を示す斜視図である。
【図８】固定用ディスクの上に防水シートを敷設する本発明の第２実施形態に係る防水シート固定構造を示す断面図である。
【図９】補強材を補強材固定用ビスで固定する本発明の第３実施形態に係る防水シート固定構造を示す断面図である。
【図１０】補強材４の変形例を示す斜視図である。
【図１１】補強材を補強材固定用ビスで固定する本発明の第４実施形態に係る防水シート固定構造を示す断面図である。
【図１２】防水下地としてコンクリート下地を用いる本発明の第５実施形態に係る防水シート固定構造を示す断面図である。
【図１３】従来の防水シート固定構造をしめす断面図である。
【図１４】従来の防水シート固定構造において水平方向に力が作用する状態を示す断面図である。なお、説明のために補強シート等を省略している。
【図１５】本発明の第１実施形態に係る平面図である。
【図１６】補強材を配置する方向を示す平面図である。
【発明を実施するための形態】
【００１７】
以下、好適実施の態様について図面を参照して詳細に説明する。
図１に第１実施形態として、固定用ディスク５の下に防水シートを敷設する防水シート固定構造について示した。これによると防水下地１の上に断熱材２が設けられ、補強材４が防水下地１の上に配置されている。断熱材２と補強材４を覆うように防水シート３が敷設され、補強材４と対応する位置に固定用ディスク５が配置されている。固定用ビス６が固定用ディスク５、補強材４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。また本実施形態における防水下地としては折板金属下地が用いられている。
【００１８】
以下まず、第１実施形態で用いられた補強材４ａは、図２に示したように板状の天板部４１が２本の支持脚部４２で支持されている。さらに支持脚部４２には天板部４１より外側に張り出すように張出部４３が設けられている。そして、補強材４ａは防水下地１の上に配置され、その天板部４１に対応する位置に固定用ディスク５が配置され固定用ビス６で天板部４１を貫通して固定用ディスク５が止め付けられる。
【００１９】
ここで、台風などの強風が吹く場合には、図１４のように屋上に施工されたシート防水構造には水平方向の応力が働くことがある。このように、防水シートに水平方向の応力が加わると固定用ディスク５や固定用ビス６にも水平方向の応力Ｆ１が作用することとなる。そして、固定用ディスク５は断熱材２の上に配置され、固定用ビス６は断熱材の下にある防水下地１に止め付けられているので、固定用ディスク５や固定用ビス６に水平方向の応力Ｆ１が加わると、断熱材２の厚みｈだけ固定用ビス６と防水下地１との固定部１０１にはより大きな応力が作用することなる。そのため図１３に示したような補強材４を用いない従来技術にかかるシート防水構造では、固定用ビス６の固定強度が充分ではない場合や固定用ビス６が破断するおそれがある。
【００２０】
それに対し、補強材４を使用した第１実施形態では、固定用ビス６は補強材４の天板部４１と防水下地１の２か所で固定される。さらに天板部４１では防水下地１からほぼ断熱材２の厚みｈだけ上方の位置において固定用ディスクを固定している。このような構成を用いることで、より確実に固定用ビス６が水平方向に可動するのを規制することができる。
さらに、補強材４には張出部４３が設けられているので、固定用ビス６に作用する水平方向の応力によって固定用ビス６を回転させようとしても補強材４が回転することなく防水下地上に固定される。これによって、水平方向の応力が防水下地１との固定部１０１に大きく作用することを防止できるために、固定用ディスク５は水平方向の応力に対しても充分な固定強度が得られるとともに、固定用ビス６が破断するのを防止できる。
【００２１】
さらに、断熱材２は固定用ディスク５の固定に際し固定用ビス６の締め付け力を直接受けることがない。ここで、図１３のように補強材４を用いない従来の固定構造の場合は、固定用ディスク５を固定用ビス６で強く止め付けると断熱材２が沈み込むことで固定用ディスク５が凹状に変形し固定強度が低下する。しかし、補強材４を用いる場合には断熱材２が沈み込むことはなく、固定用ディスク５が防水下地に対して強固に固定されるという効果も得られる。
【００２２】
ここで補強材４は防水下地１の上に配置され、天板部４１とこの天板部４１に連結された支持脚部４２と、これに連結された張出部４３を備えていればよい。また、補強材４の天板部４２と支持脚部４１が連結された形状は立方体、長方体、円柱形、錐台などの形状を採用することができ、それに応じて天板部４１は正方形、長方形、円形、楕円形、多角形、不定形など任意に選択することができる。そして、これらの形状に対し、天板部４１より外側に張り出すように張出部４３が設けられる。
【００２３】
ここで、天板部４１は防水シートに覆われ、固定用ディスク５を載せ、固定用ビス６が貫通されるような形態であればよいが、略平坦であることが好ましい態様である。また支持脚部４２は天板部４１を支持する足の役割を担うため、天板部４１に対してその周囲を完全に囲むように閉じた支持脚部４２を設けることを要しない。すなわち、天板部４１を支持し、補強材４が自立するように支持脚部４２を設けることができる。したがって第１実施形態で用いた補強材４ａのように天板部４１が四角形の場合に２本の支持脚部４２を有し、その一の支持脚部４２と他の支持脚部４２が対向するように設けることが安定的に自立し、固定用ビスを止め付ける際により安定してこれを支持できる点から好ましい。
【００２４】
また、図５に示した補強材４ｊのように天板部４１が隣接する２つの支持脚部４２で支持されていてもよいし、補強材４ｋのように３つの支持脚部４２で支持されていてもよい。ここで補強材４ｊは略Ｌ字型に、補強材４ｋは略コの字型に支持脚部４２が形成されている。
【００２５】
また天板部４１の外周に沿って閉じた支持脚部４２とすることもできる。具体的には、天板部４１が四角形である場合には、図４に示した補強材４ｅ、４ｆのような直方体とし、その四角形の外周に沿って４辺に対応する支持脚部４２を設けることができる。また、補強材４ｇのように天板部４１が円形の場合にはその円周に対応した閉じた支持脚部４２とすることができ、この場合の補強材４ｇは円柱形状となる。
【００２６】
張出部４３は天板部４１より外側に張り出すように支持脚部４２に連結されている。図２に示した補強材４ａにおいて張出部４３は支持脚部４２から連続してＬ字型に折り曲げたように形成されている。補強材４ａでは支持脚部４２に対応して２つの張出部４３が設けられているが、図３に示した補強材４ｂのように複数の支持脚部４２に連結された張出部４３としてもよい。補強材４ｂの張出部４３は支持脚部４２の間を跨ぐように設けられ、天板部４１に対する底部を兼ねている。このように、張出部４３は天板部４１の内側にも張り出していてもよい。補強材４ｃはこのような変形例であって、天板部４１に対して内側と外側に張り出した張出部４３が支持脚部４２に連結されている。また強材４ｃにおいては２つ支持脚部４１に対応して２つの張出部４３を独立して設け、張出部４３は互いに接合されずに間隔を隔てて設けられている。また張出部４３をより大きく形成した補強材４ｄのような形状としてもよい。
【００２７】
また、図４の補強材４ｅ、４ｇ、図５の補強材４ｈのように天板部４１の周囲において外側に張り出すように張出部４３を設けてもよい。補強材４ｈでは２本の支持脚部４２に連結して設けられた張出部４３が天板部４１の周囲の外側に張り出しており、また底部を兼ねた形状となっている。
【００２８】
ここで張出部４３は支持脚部４２の構成に応じて設けることができるが、支持脚部４２が１本の場合でも張出部４３があれば自立可能となる。この場合、天板部４１の外側と内側に張出部４３を設けることが好ましく、さらに図５の補強材４ｉのように一の張出部４３が天板部４１の両端から張り出すように形成されることでより安定的に自立することとなり好ましい。この場合の補強材４ｉは略ｈ型の形状となっている。また、補強材４ｊでは張出部４３は天板部４１に対し２方向に張り出しており、補強材４ｋでは天板部４１の周囲すなわち４方向に張り出すように張出部４３が設けられている。
【００２９】
また、補強材４の天板部４１には、図６に示した補強材４Ｌのようにビス穴４４を設けることができる。このビス穴４４には固定用ビス６が差し込まれる。ビス穴４４の径は固定用ビス６の径より小さくすることで、固定用ビス６が打ち込まれる際に天板部４１での抵抗が少なくなり作業性が向上するとともに、固定用ビス６が天板部４１で固定される効果も得られる。
【００３０】
補強材４にはさらに底部を設けてもよい。このような変形例として、図４の補強材４ｂ、図５の補強材４ｈ等の形態が例示できる。そして、底部にもビス穴４４を設けてもよい。
【００３１】
また、補強材４は固定用ビス６の水平方向の可動を規制するように構成されていることが好ましい。これによって、固定用ビス６に水平方向の応力が作用しても固定用ビス６の動きが規制され、固定用ビス６と防水下地１との貫通部に大きな力が作用するのを防ぐことができる。
ここで、固定用ビス６の水平方向の可動を制限するには、固定用ビス６が天板部４１において固定されていることが好ましい。したがって、天板部４１にはビス穴を設けないで固定用ビス６を天板部４１を貫通させるか、または固定用ビス６の径よりも小さいビス穴４４を設けるなどして天板部４１で固定用ビス６のネジ山が有効に効くようにすることが好ましい
【００３２】
また補強材４は、金属製、硬質合成樹脂製、木製等が用いられる。強度や耐久性の点から金属製がこのましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．５〜５ｍｍ程度が好ましい。
そして、天板部４１、支持脚部４２、張出部４３は同一の素材、同一厚みで構成されることは要せず、それぞれを別の素材、異なった厚みで構成してもよい。
【００３３】
補強材４の天板部４１の１辺の長さ（天板部４１が円形の場合は直径）は３０ｍｍ〜２００ｍｍ程度のものが好ましく、５０ｍｍ〜１８０ｍｍがより好ましく、６０ｍｍ〜１５０ｍｍがさらにこのましい。また支持脚部４２の長さ、すなわち補強材４の高さは使用される断熱材２の厚さに応じて設定することができ、１０ｍｍ〜１００ｍｍ程度とすることができる。また天板部４１は固定用ディスク５よりも大きく形成されることがより好ましいが、固定用ビス６の貫通部が天板部４１で支持されていれば固定用ディスク５よりも小さく形成されていてもよい。
【００３４】
そして張出部４３は大きいほどより安定的に固定用ディスク５、固定用ビス６を保持でき、固定用ビスに水平方向の応力が働き、固定用ビス５、補強材４が回転するのをより安定して防ぐことができる。
【００３５】
また補強材４と防水下地１の間に粘着層１１を設けてもよい。これにより補強材４が防水下地１により強固に固定されるために好ましい。ここで、粘着層としては、接着剤、粘着テープ、定形シーラー、不定形シーラー等を用いることができる。粘着力にすぐれ、施工しやすいとの点からブチルテープなどの定形シーラーが好ましく用いられる。
【００３６】
防水シート３は熱可塑性樹脂製防水シートが好ましく、塩化ビニル系樹脂、ポリオレフィン系、アクリル系等を使用することができる。熱可塑性樹脂製防水シートを熱溶融着、溶剤溶着により接合し、また後述する補強用シートで補強し得るという点から塩化ビニル系樹脂製防水シートがより好ましい。
【００３７】
熱可塑性樹脂製防水シートは単層でも良いが、寸法安定性、引張強度に優れるという点からガラスクロス、不織布等の基材層を積層した複層品が好ましい。基材層は最下層に設けても良いが熱可塑性樹脂層の中間に設けても良い。また熱可塑性樹脂層は一層であっても、複数の層であってもよく、それぞれの層の組成を異なるものとしてもよい。
【００３８】
断熱材は、ポリスチレンフォーム、硬質ウレタンフォーム、フェノールフォーム、ポリエチレン、ポリプロピレン等のポリオレフィンフォーム等が使用でき、強度を考慮するとクラフト紙やアルミ箔が両面に積層された断熱材が好ましい。また、勾配をとる必要がある場合には、勾配のある断熱ボードを使用することができる。
【００３９】
固定用ディスク５は防水シート３を固定できるものであればよく、金属製、硬質合成樹脂製、木製等が用いられる。強度や耐久性の点から金属製がこのましい。金属製の固定用ディスクを構成する鋼鈑の材質としては、ステンレス板や、亜鉛・アルミニウム・マグネシウムメッキまたは亜鉛メッキ等の防錆処理が施された鋼板など、多湿状態でも錆びにくい鋼鈑が好適に使用される。厚みとしては、０．６〜１．５ｍｍ程度で、形状は正方形または長方形をした矩形状のプレート状や、円形または楕円形状のディスク状、長尺状など任意であり、大きさは１辺または外径が５０〜１００ｍｍ程度に形成することができる。
【００４０】
また、その固定用ディスク５の少なくとも上面に熱可塑性樹脂被覆層を積層一体化した構成が好ましい。これにより防水シート３や補強用シート７との熱融着、溶剤溶着による接合が容易となる。ここで熱可塑性樹脂被覆層は、塩化ビニル系樹脂、ポリオレフィン系、アクリル系等を使用することができる。また接合強度を考慮すると、防水シート３、補強用シート７とこの熱可塑性樹脂被覆層の材質は同種のものを用いるのが好ましく、防水シート等が塩化ビニル系樹脂製である場合には、熱可塑性樹脂被覆層も塩化ビニル系樹脂からなることが好ましい。
なお本明細書では、固定用ディスクの上面とは下地、断熱材に対して上側の面である。
【００４１】
また、図５のように固定用ディスク５の上に防水シート３を敷設する場合において、固定用ディスク５の上面に設けられる接着層は接着剤を塗布することや、熱可塑性樹脂層を積層する等して設けることができる。そして、接着層と防水シート３との接着は圧着や熱による融着や溶剤による溶着等によって行われる。また電磁誘導加熱を行う場合において固定用ディスク５の接着層は、加熱より溶融するホットメルト接着剤や熱可塑性樹脂等である熱溶融着層とすることが好ましい。ホットメルト接着剤としては、ポリエステル系、ポリアミド系、エチレン−酢酸ビニル共重合体系のホットメルト接着剤等が挙げられる。
【００４２】
固定用ビス６は、少なくとも固定用ディスク５と補強材４を固定するに足る長さが必要であり、補強材４を貫通して防水下地１に達するような長さのものを用いることもできる。
材質としては、炭素鋼、合金鋼、ステンレス鋼等の鋼材などが使用できる。また、固定用ディスク５等の上面から頭部がはみ出ないように、固定用ビス６のビス頭の形状は皿、平、なべがよく、ドライバーやレンチで掛ける座面の窪み形状は十字穴、六角穴、四角穴が好ましい。また補強材固定用ビス９も同様の材質、形状のものを使用することができる。
【００４３】
防水下地１は、コンクリート、ＡＬＣ、折板屋根、瓦棒屋根、デッキプレート等の金属下地等を使用することができる。
【００４４】
つぎにこれらの実施形態の施工方法について以下に図１を用いて説明する。
第１実施形態においては、防水下地１の上に断熱材２を敷設し、防水下地１である折板の凸状部に対応する位置の断熱材２に、ホールソー等を用いて補強材４を挿入できる下穴を形成する。そして、補強材４を下穴に挿入し、張出部４３の上に予め切断しておいた断熱材２を挿入する。補強材４、断熱材２の上にポリ塩化ビニル製の防水シート３を敷設する。次に補強材４と対応する位置に防水シート３の上から熱可塑性樹脂被覆層が積層一体化された固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００４５】
ここで、補強材４ａを防水下地１の上に配置する方法としては、補強材４ａを防水下地１の上に配置しその周囲を囲むように断熱材を敷きこむこともできる。一方、第１実施形態においては、防水下地１の上に断熱材２を敷設した後に補強材４を配置している。この方法について図７を用いて説明すると、断熱材２に補強材４ａが挿入できる下穴をカッターやホールソーを用いて開ける。そして、補強材４を下穴に挿入するが張出部４３の部分には断熱材２が存在しない空間２１が形成される。そこで、この張出部４３の上の空間２１に対応した断熱材２２を切り出しておいて、切り出した断熱材２２を張出部４３の上の空間２１に挿入する。このようにすることで、補強材４を防水下地１の上に配置した後に断熱材２を配置された補強材４の周囲に敷設するより簡単に補強材４を防水下地１の上に配置することが可能となる。
【００４６】
このように、補強材の張出部４３の上に配置される断熱材が周囲の断熱材とは分割して構成されている防水シート固定構造とすることができる。
【００４７】
図１５には図１に示す第１実施形態に係る平面図を示した。このように断熱材２の上に防水シート３が敷設され、その防水シート３の上に固定用ディスク５が所定の間隔で配置され、固定用ビス６によって止め付けられその上から補強用シート７が溶剤溶着または熱融着されている。固定用ディスクの間隔すなわち固定ピッチは図１５のように縦、横ともに等間隔とすることができるが、その固定ピッチは任意である。また、その固定部位に応じて固定ピッチを変えてもよく、例えば防水すべき面の端縁部では固定ピッチを小さくしそれ以外の部分ではそれより大きくすることもできる。そして、第１実施形態においては、防水下地１の凸部１０２に固定用ディスク５を配置するために、固定ピッチは防水下地１の凸部１０２のピッチに対応して設定されている。
【００４８】
ここで、第１実施形態においては図１のように補強材４は張出部４３が金属折板下地の凸部１０２の上に凸部１０２の長手方向に対する巾方向に渡るように配置されている。補強材４の回転を防止するとの点から張出部４３が防水下地１に支持されていることが好ましいので、補強材４の配置の方向は張出部４３が防水下地１に支持されるような向きとすることが好ましい。図１６には金属折板下地の凸部１０２の上に配置された補強材４の平面図を示した。図１６（６−１）のように金属折板下地の凸部１０２の幅が広く補強材４の張出部４３が凸部１０２で支持される場合には張出部４３が凸部１０２の巾方向Ｗに渡るように配置できる。また、図１６（６−１）のように金属折板下地の凸部１０２の幅が狭い場合には、張出部４３が凸部１０２の長さ方向Ｌに渡るように配置することで、張出部４３が凸部１０２によって支持される。
【００４９】
また別の実施形態として、防水シート３は固定ディスクの上側に敷設することもできる。
そこでこのような第２実施形態について図８を用いて説明する。防水下地１の上に断熱材２が設けられ、補強材４が防水下地１の上に配置されている。そして、補強材４の上に固定用ディスク５を配置し、その上から固定用ビス６が打ち込まれ固定用ディスク５が補強材４の上に固定されている。そして、固定用ディスク５の上面には接着層（図示なし）が設けられており、この固定用ディスクの上に防水シート３が敷設されている。さらに、固定用ディスク５の接着層と防水シート３の裏面が接合されることで、防水シート３が固定用ディスク５によって断熱材２の上に固定される。そして、第２実施形態において、固定用ディスク５と防水シート３の接合は電磁誘導加熱装置１０による融着により行われている。このような電磁誘導加熱による融着を行うことで簡単に防水シート３と固定用ディスク５との接合を行うことができる。
【００５０】
次に第２実施形態の施工方法について説明する。防水下地１である折板の凸状部に対応する位置の断熱材２に、ホールソー等を用いて補強材４を挿入できる下穴を形成する。そして、補強材４を下穴に挿入し、張出部４３の上に予め切断しておいた断熱材２を挿入する。そして、補強材４の上に、上面に接着層を設けた固定用ディスク５を補強材４の天板部４１に載せ、固定用ビス６を補強材４の天板部４１、防水下地１を貫通して打ち込み、固定用ディスク５を固定する。そして、その上からポリ塩化ビニル製の防水シート３を敷設し、固定用ディスク５と対応する位置に電磁誘導加熱装置１０を載せて、加熱することで固定用ディスク５と防水シート３を接合する。なお、本実施形態において固定用ディスク５の接着層はポリ塩化ビニル層が用いられている。
【００５１】
また、補強材４は固定用ビス５とは別に補強材固定用ビス９で防水下地１に止め付けることができ、このような第３実施形態を図９に示した。
これによると、防水下地１の上に断熱材２が設けられ、図１０に示した補強材４ｍが防水下地１の上に配置されている。そして、補強材固定用ビス９が補強材４ｍの天板部４１を貫通して防水下地１に止め付けられている。断熱材２と補強材４ｍを覆うように防水シート３が敷設され、補強材４と対応する位置に固定用ディスク５が配置されている。固定用ビス６が固定用ディスク５、補強材４ｍを貫通して防水下地１に固定されている。このように、固定用ディスク５によって防水シート３が固定されているシート防水構造を構成している。さらに固定用ディスク５を上から覆うように補強用シート７を接合し、補強用シート７の端部と防水シート３をシーラー８で防水処理している。
このように補強材４ｍが補強材固定用ビス９防水下地１に固定されているために、固定用ビス６は水平方向の応力に対してより強固の固定されることとなる。
【００５２】
第３実施形態において用いた図１０の補強材４ｍにおいて、天板部４１には補強材固定用ビス９を貫通させるビス穴４５が設けられビス穴の周囲は補強材固定用ビス９のビス頭が収まるような座繰りが設けられている。
【００５３】
次に第３実施形態における施工方法について説明する。防水下地１の上に断熱材２を敷設し、防水下地１である折板の凸状部に対応する位置の断熱材２に、ホールソー等を用いて補強材４を挿入できる下穴を形成する。そして、補強材４を下穴に挿入し、張出部４３の上に予め切断しておいた断熱材２を挿入する。そして、補強材４ｍの天板部４２に設けられたビス穴４５に補強材固定用ビス９を挿入しインパクトドライバで補強用固定用ビス９を防水下地１に打ち込み固定する。その上からポリ塩化ビニル製の防水シート３を敷設する。次に補強材４と対応する位置に防水シート３の上から熱可塑性樹脂被覆層が積層一体化された固定用ディスク５を配置し、固定用ビス６を補強材４の天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００５４】
また、補強材の張出部を貫通し防水下地１に向けて打ち込まれる補強部材固定用ビス９をさらに備える防水シート固定構造とすることもでき、これを第４実施形態として図１１に示した。すなわち、補強材の張出部を貫通し防水下地に向けて打ち込まれる補強部材固定用ビスをさらに備える防水シート固定構造である。
これによると、防水下地１の上に断熱材２が設けられ、補強材４が防水下地１の上に配置されている。そして、補強材固定用ビス９が補強材４ｎの張出部４３を貫通して防水下地１に止め付けられている。断熱材２と補強材４ｎを覆うように防水シート３が敷設され、補強材４と対応する位置に固定用ディスク５が配置されている。固定用ビス６が固定用ディスク５、補強材４ｎを貫通して防水下地１に固定されている。このように、固定用ディスク５によって防水シート３が固定されているシート防水構造を構成している。さらに固定用ディスク５を上から覆うように補強用シート７を接合し、補強用シート７の端部と防水シート３をシーラー８で防水処理している。
このように補強材４が補強材固定用ビス９により防水下地１に固定されているために、固定用ビス６は水平方向の応力に対してより強固の固定されることとなる。
【００５５】
第４実施形態において用いた図１０の補強材４ｎにおいて、張出部４３には補強材固定用ビス９を貫通させるビス穴４５が設けられビス穴の周囲は補強材固定用ビス９のビス頭が収まるような座繰りが設けられている。
【００５６】
次に第４実施形態における施工方法について説明する。防水下地１の上に断熱材２を敷設し、防水下地１である折板の凸状部に対応する位置の断熱材２に、ホールソー等を用いて補強材４ｎを挿入できる下穴を形成する。そして、補強材４を下穴に挿入し、補強材４ｎの張出部４３に設けられたビス穴４５に補強材固定用ビス９を挿入しインパクトドライバで補強用固定用ビス９を防水下地１に打ち込み固定する。引き続き、張出部４３の上に予め切断しておいた断熱材２を挿入する。そして、その上からポリ塩化ビニル製の防水シート３を敷設する。次に補強材４ｎと対応する位置に防水シート３の上から熱可塑性樹脂被覆層が積層一体化された固定用ディスク５を配置し、固定用ビス６を補強材４ｎの天板部４１、防水下地１を貫通して打ち込み、固定用ディスク５を固定する。さらに、固定用ディスク５を覆うように補強用シート７をかぶせ、固定用ディスク５の上面および防水シート３と熱溶着を行う。なお、本実施態様においては、補強用シート７はポリ塩化ビニル製であり、固定用ディスクの上面の熱可塑性樹脂被覆層にはポリ塩化ビニル層が用いられている。そして、補強用シート７の周囲をシーラー８で防水処理を施した。
【００５７】
また、防水下地１としてコンクリート下地を用いた第５実施形態を図１１に示した。これによると、固定用ディスク５の下に防水シートを敷設する防水シート固定構造について示した。これによると防水下地１の上に断熱材２が設けられ、補強材４ａが防水下地１の上に配置されている。断熱材２と補強材４を覆うように防水シート３が敷設され、補強材４と対応する位置に固定用ディスク５が配置されている。固定用ビス６が固定用ディスク５、補強材４を貫通して防水下地１に固定されている。このように、固定用ディスク５によって防水シート３が固定されているシート防水構造を構成している。本実施形態においては、さらに固定用ディスク５を上から覆うように補強用シート７を接合し、補強用シート７の端部と防水シート３をシーラー８で防水処理している。
【００５８】
また、これらの全ての実施態様において固定用ディスク５が補強材４を介して下地の上に固定されるのであれば、緩衝用シート、防水性を向上させる増し張りシート等の部材を使用することができる。
【符号の説明】
【００５９】
１      防水下地
２      断熱材
３      防水シート
４      補強材
４１    天板部
４２    支持脚部
４３    張出部
５      固定用ディスク
６      固定用ビス
７      補強用シート
８      シーラー
９      補強材固定用ビス
１０    電誘導加熱装置
【図１】
2014001531.tif 000003
【図２】
2014001531.tif 000004
【図３】
2014001531.tif 000005
【図４】
2014001531.tif 000006
【図５】
2014001531.tif 000007
【図６】
2014001531.tif 000008
【図７】
2014001531.tif 000009
【図８】
2014001531.tif 000010
【図９】
2014001531.tif 000011
【図１０】
2014001531.tif 000012
【図１１】
2014001531.tif 000013
【図１２】
2014001531.tif 000014
【図１３】
2014001531.tif 000015
【図１４】
2014001531.tif 000016
【図１５】
2014001531.tif 000017
【図１６】
2014001531.tif 000018